(57)【要約】      （修正有）【課題】パチンコ台盤面との接触を維持して、ハンズフリーでパチンコ台盤面の傾斜角度の測定が可能な傾斜計を提供する。【解決手段】パチンコ台盤面１２の傾斜角度を測定する傾斜計１００であって、長尺な枠体１と、枠体１の長手方向と直交する方向に突出し、先端をパチンコ台盤面１２に接触させる２本の脚２と、パチンコ台外枠１１と島枠１３の隙間に挿入され、支軸９を有する吊り下げ金具６と、一端が吊り下げ金具の支軸９に回動可能に取り付けられ、他端が枠体１に取り付けられるアーム３と、枠体１の正面に取り付けられる水準器４と、が備えられ、脚２をパチンコ台盤面１２に接触させた状態が、パチンコ台盤面１２の傾斜角度が調節され変化しても維持される。【選択図】図１
2015058048.tif 000002
【特許請求の範囲】
【請求項１】
パチンコ台盤面の傾斜角度を測定する傾斜計であって、
長尺な枠体と、
前記枠体の長手方向と直交する方向に突出し、先端を前記パチンコ台盤面に接触させる２本の脚と、
パチンコ台外枠と島枠の隙間に挿入され、支軸を有する吊り下げ金具と、
一端が前記吊り下げ金具の支軸に回動可能取り付けられ、他端が前記枠体に取り付けられるアームと、
前記枠体の正面に取り付けられる水準器と、が備えられ、
前記脚を前記パチンコ台盤面に接触させた状態が、前記パチンコ台盤面の傾斜角度が調節され変化しても維持されることを特徴とする傾斜計。
【請求項２】
前記アームの他端が、前記枠体の頂部に取り付けられることを特徴とする請求項１に記載の傾斜計。
【請求項３】
前記アームの他端が、前記枠体の中央部に取り付けられることを特徴とする請求項１に記載の傾斜計。
【請求項４】
前記枠体には、前記脚をスライド可能とするスライド孔とが設けられることを特徴とする請求項１に記載の傾斜計。
【発明の詳細な説明】
【技術分野】
【０００１】
本発明は、傾斜計に係り、より詳しくは、パチンコ台の外枠と島取付け枠の隙間に挿入して吊り下げ、パチンコ台盤面の傾斜角度をハンズフリーで確認できる傾斜計に関する。
【背景技術】
【０００２】
パチンコ台の出球の数は、パチンコ台盤面の傾斜角度によって、出方が微妙に変化する。従って、日常の保守管理として好適な出球となるように、パチンコ台盤面の上端を後方側に倒して傾きを調節している。パチンコ台盤面には、様々な修飾物や釘などが施されており、それらの隙間の盤面に傾斜計を押し当て、パチンコ台盤面の傾斜角度を調節することは、手間のかかる作業となっている。
【０００３】
特許文献１には、パチンコ台の傾斜計が開示されている。傾斜計（１０）には、設置用脚（３０、４０）が設けられ、設置用脚（３０）をパチンコ台盤面の釘に引っ掛けて使用する。傾斜計（１０）を取り外すことなく使用できるため、パチンコ台盤面の傾斜を調節しつつ傾斜角度を確認することできる。しかしながら、傾斜計（１０）は、３００〜５００ｇ程度の重量があるので、針に荷重をかけて針を歪ませることになり、好ましいものとはいえない。また、パチンコ台盤面によっては、釘が盤面の左側しかないものがあり、その場合、右側の盤面では傾斜角度の測定ができない。
【０００４】
特許文献２には、吊り下げ式の傾斜計が図８に示される。傾斜計（１）は、島部などに吸盤で取り付けられ、２本の突出部（１０、１１）は釘に引っ掛けずにパチンコ台盤面に接触させている。傾斜計（１）には、上部の吊り下げ金具（１５）に設けられる支点を回して、傾斜計（１）を所定の角度に傾斜させて固定し、その後、突出部（１０、１１）がパチンコ台盤面に接触するよう角度を調節する。このような傾斜角度の調節では、傾斜計を所定の角度に傾けておき、パチンコ台盤面を動かすものであるが、傾斜計（１）の突出部（１０、１１）の先端がパチンコ台盤面に接触したかの確認が分かりにくい。
【先行技術文献】
【特許文献】
【０００５】
【特許文献１】特開平０９−１５５０５５号公報
【特許文献２】特開２００６−４６９６９号公報
【発明の概要】
【発明が解決しようとする課題】
【０００６】
本発明の目的は、釘に負荷を与えず、またパチンコ台盤面の状態に影響されることなく、さらにパチンコ台盤面との接触を維持して、ハンズフリーでパチンコ台盤面の傾斜角度の測定が可能な傾斜計を提供することにある。
【課題を解決するための手段】
【０００７】
本発明による傾斜計は、パチンコ台盤面の傾斜角度を測定する傾斜計であって、長尺な枠体と、前記枠体の長手方向と直交する方向に突出し、先端を前記パチンコ台盤面に接触させる２本の脚と、パチンコ台外枠と島枠の隙間に挿入され、支軸を有する吊り下げ金具と、一端が前記吊り下げ金具の支軸に回動可能取り付けられ、他端が前記枠体に取り付けられるアームと、前記枠体の正面に取り付けられる水準器と、が備えられ、前記脚を前記パチンコ台盤面に接触させた状態が、前記パチンコ台盤面の傾斜角度が調節され変化しても維持されることを特徴とする。
【０００８】
前記アームの他端が、前記枠体の頂部に取り付けられることを特徴とする。
【０００９】
前記アームの他端が、前記枠体の中央部に取り付けられることを特徴とする。
【００１０】
前記枠体には、前記脚をスライド可能とするスライド孔とが設けられることを特徴とする。
【発明の効果】
【００１１】
本発明によれば、長尺な枠体と、枠体の長手方向と直交する方向に突出する２本の脚と、パチンコ台外枠と島枠の隙間に挿入される吊り下げ金具と、一端が前記吊り下げ金具の支軸に回動可能取り付けられ、他端が前記枠体に取り付けられるアームと、枠体の正面に取り付けられる水準器と、を設けたので、吊り下げ状態では、自重で枠体が傾くので、脚をパチンコ台盤面と接触させた状態を維持してハンズフリーでパチンコ台盤面の傾斜角度の調節ができる。パチンコ台盤面が垂直状態であっても、脚がパチンコ台盤面と接触した状態に維持できる。パチンコ台外枠と島枠の隙間に挿入される吊り下げ金具を設けたので、吸盤などに比較して外れることがない。もちろん釘に吊り下げるものではないので、釘に負担をかけることもない。
【００１２】
アームの他端を枠体の頂部に取り付けたので、アームをより短くできる。例を示すと、本願の実施例２のアームは、実施例１のアームより短い。
【００１３】
アームの他端を前記枠体の中央部に取り付けたので、吊り下げた場合、枠体をバランスよく傾けることができる。
【００１４】
また、枠体に脚をスライド可能とするスライド孔を設けたので、釘などがある場合は、その位置を避けて２本の脚を移動できる。
【図面の簡単な説明】
【００１５】
【図１】本発明による傾斜計がパチンコ台に取り付けられ、傾斜計の脚がパチンコ台盤面に接触している状態を示す側面図である。（実施例１）
【図２】図１の傾斜計の背面図である。（実施例１）
【図３】図１の傾斜計の吊り下げ金具の斜視図である。（実施例１）
【図４】図１の傾斜計を単体で吊り下げた時の側面図である。（実施例１）
【図５】パチンコ台盤面の上部を後方に傾斜させ、その傾斜角度を測定中の傾斜計の側面図である。（実施例１）
【図６】図１の水準器の平面図である。
【図７】傾斜計を単体で吊り下げた時の側面図である。（実施例２）
【図８】パチンコ台盤面の上部を後方に傾斜させ、その傾斜角度を測定中の傾斜計の側面図である。（実施例２）
【発明を実施するための形態】
【００１６】
以下、図面を参照して、本発明による傾斜計を詳しく説明する。
【実施例１】
【００１７】
図１は、本発明による実施例１の傾斜計１００がパチンコ台外枠１１に取り付けられ、傾斜計１００の脚２がパチンコ台盤面１２に接触している状態を示す側面図である。図１に示すように、本発明の傾斜計１００は、長尺な枠体１と、枠体１の長手方向と直交する方向に突出する２本の脚２と、パチンコ台外枠１１と島枠１３の隙間に挿入される吊り下げ金具６と、枠体１の両側に枠体１を吊り下げるように設けられるアーム３と、枠体１の下部の正面側に取り付けられる水準器４と、から構成される。アーム３は、一端が吊り下げ金具６に設けられた支軸９に回動可能取り付けられ、他端が枠体１の中央部に設けられた取付け軸１０に回動可能に取り付けられる。そのため傾斜計１００を吊り下げた場合、枠体１は所定の角度だけ傾斜する。水準器４は、枠体１の取付け軸１０より下側の正面の位置に取り付けられる。枠体１は、これに限られるものではないが、中空の角形のアルミ製で、断面は３ｃｍ×３ｃｍ、長さは約４０ｃｍである。図１に示すように、傾斜計１００は、パチンコ台盤面１２が垂直であっても脚２がパチンコ台盤面１２に当接し、手で傾斜計１００をパチンコ台盤面１２に押し付ける必要がなく、その傾斜角度が表示される。
【００１８】
図１では、アーム３は、取付け軸１０が支軸９の真下より右方向の位置に位置する。つまり、支軸９の位置は、枠体１の長尺方向の中心線から左方向に少しずれた位置にある。この状態では、アーム３と枠体１が、自重で支軸９を中心に回動して、支軸９の真下に戻ろうとするので、脚２ａと脚２ｂがパチンコ台盤面１２に接触する。枠体１は、また傾斜計１００の重さで取付軸１０を中心に回動し、脚２をパチンコ台盤面１２に押し付ける。
【００１９】
図２は、傾斜計１００の背面図である。枠体１の長手方向に沿って脚２がスライド可能となるようにスライド孔７、７が設けられる。脚２ａ、脚２ｂとも上下方向にスライドできる。脚２ａは板状の脚で、脚２ｂは棒状の脚とした。脚２ａを棒状の脚とし、脚２ｂを板状の脚としてもよい。脚の両方が棒状の場合に比較して、傾斜計の歪んだ取り付けなどを容易に見分けることができる。
【００２０】
図３は、傾斜計１００の吊り下げ金具６の斜視図である。吊り下げ金具６は、挿入板６ａと、ストッパ６ｂと、滑り止め６ｃからなる。ストッパ６ｂをパチンコ台外枠１１に当接することにより、傾斜計１００を並行に位置決めできる。アーム３は、支軸９の両側に回動可能に取り付けられる。支軸９は、ストッパ６ｂの内側に固定したが、これに限られるものではなく、挿入板６ａの上側外面に取り付けてもよい。
【００２１】
図４は、傾斜計１００を単体で吊り下げた場合の側面図である。吊り下げ金具６は水平とする。この吊り下げ状態では、支軸９は、枠体１の長尺方向の中心線８の上にはなく、左上方向にずれているので、枠体１は所定の角度だけ時計回りに回動して傾斜する。水準器４は、枠体１の下側の正面側に取り付けられる。この状態では図４に示すように枠体１は垂直ではなく図４では時計回りに傾斜している。このため、図１に示すように、垂直なパチンコ台盤面１２であっても、脚２ａと脚２ｂは、パチンコ台盤面１２に押し付けられて接触状態を維持できる。
【００２２】
図５は、パチンコ台盤面１２の上部を後方に傾斜させ、その傾斜角度を測定中の傾斜計１００の側面図である。パチンコ台盤面１２が図１に示す状態から傾斜させると、傾斜計１００は回動しようとして、脚２がパチンコ台盤面１２との接触状態を維持するので、傾斜計１００も傾斜する。そのため、手動で傾斜計１００をチンコ台盤面１２に押し付けることなく、ハンズフリーで水準器４を見ながら、パチンコ台に取り付けられている傾斜度調整装置を調整し、パチンコ盤面１２の傾斜を所定の角度に調節できる。
【００２３】
水準器４は、図４に示すように気泡を有する箇所があらかじめ枠体１に対して傾斜して取り付けられている。そのため、図５に示すようにパチンコ台盤面１２が所定の角度に調節されると、気泡を有する箇所が略水平となる。そのため、気泡５が水準器４の中央に移動して傾斜角度の判定が容易となる。
【００２４】
図６は、水準器４の平面図である。傾斜角度が測定できるよう目盛が刻まれており、気泡を有する箇所があらかじめ枠体１に対して傾斜して取り付けられているので、気泡を有する箇所が略水平となると、気泡５が可視可能な領域に移動してくるので、現在のパチンコ台盤面１２の傾斜角度が所定の傾斜角度になったことを確認できる。
【実施例２】
【００２５】
図７は、実施例２の傾斜計２００を単体で吊り下げた時の側面図である。実施例２の傾斜計２００は、アーム３の一端が吊り下げ金具６の支軸９に回動可能取り付けられる。アーム３の他端は、枠体１の頂部の取付け軸１０にネジで固定される。アーム３は、支軸９が枠体１の長尺方向の中心線からずれるように傾けて固定される。そのため、吊り下げた場合、枠体１は所定の角度だけ傾斜する。実施例２のアーム３は、実施例１と比べて短くできる。アーム３の他端を溶接で枠体１の頂部に固定してもよい。このようなケースは、枠体１の回動中心が支軸９に一致しているような場合に有効である。その場合は、脚２が両方ともパチンコ台盤面１２に当接できる。もちろんアーム３の他端を枠体１の取付け軸１０に回動可能に取り付けてもよい。
【００２６】
図８は、パチンコ台盤面１２の上部を後方に傾斜させ、傾斜計２００でパチンコ台盤面１２の傾斜角度を測定中の側面図である。パチンコ台盤面１２を調節して傾斜させると、傾斜計２００は支軸９を中心に回動しようとして脚２がパチンコ台盤面１２との接触状態を維持して追随するので、傾斜計２００も傾斜する。そのため、手で傾斜計２００をチンコ台盤面１２に押し付けることなく、ハンズフリーで水準器４を見ながら、傾斜度盤面の角度を調節して所定の角度にできる。
【符号の説明】
【００２７】
１    枠体
２    脚
２ａ    板状の脚
２ｂ    棒状の脚
３    アーム
４    水準器
５    気泡
６    吊り下げ金具
６ａ    挿入板
６ｂ    ストッパ
６ｃ    滑り止め
７    スライド孔
８    中心線
９    支軸
１０    取付け軸
１１    パチンコ台外枠
１２    パチンコ台盤面
１３    島枠
１００、２００    傾斜計
【図１】
2015058048.tif 000003
【図２】
2015058048.tif 000004
【図３】
2015058048.tif 000005
【図４】
2015058048.tif 000006
【図５】
2015058048.tif 000007
【図６】
2015058048.tif 000008
【図７】
2015058048.tif 000009
【図８】
2015058048.tif 000010